(57)【要約】【課題】  １種類で、洗面器あるいは手洗器を、中央部にも、また、左右何れかの端側にも良好に設置できる洗面器あるいは手洗器用カウンターを提供する。【解決手段】  洗面器あるいは手洗器を設置するためのカウンター２であって、このカウンター２は、複数の分割された天板３，４で構成され、１つの分割された天板３には、洗面器１０あるいは手洗器の給水管１３，排水管１２等が通る貫通穴３ａが形成され、貫通穴３ａの幅方向の中心は、１つの分割された天板３の幅方向の中心から左右何れか側にずれており、ずれた側に他の分割された天板４を設置した状態で、貫通穴３ａがカウンター２全体の幅方向の中心に位置するように構成されている。【選択図】  図１
2005087647.tif 000002
【特許請求の範囲】
【請求項１】
洗面器あるいは手洗器を設置するためのカウンターであって、該カウンターは、複数の分割された天板で構成され、１つの分割された天板には、前記洗面器あるいは手洗器の給水管，排水管等が通る貫通穴が形成され、該貫通穴の幅方向の中心は、前記１つの分割された天板の幅方向の中心から左右何れか側にずれており、ずれた側に他の分割された天板を設置した状態で、前記貫通穴がカウンター全体の幅方向の中心に位置するように構成されていることを特徴とする洗面器あるいは手洗器用カウンター。
【請求項２】
洗面器あるいは手洗器を設置するためのカウンターであって、該カウンターは、複数の分割された天板で構成され、該複数の分割された天板を跨いで前記洗面器あるいは手洗器が載置されるように構成したことを特徴とする洗面器あるいは手洗器用カウンター。
【請求項３】
前記請求項１または請求項２に記載のカウンターを施工する際に、前記貫通穴が形成された天板を、裏返す或いは水平面内で回転させ、他の分割された天板を左右何れか側に配置して、前記貫通穴をカウンターの中央に配置したり、カウンターの左右何れかの端側に配置し、該貫通穴に前記洗面器あるいは手洗器を設置することを特徴とするカウンターを用いた洗面器あるいは手洗器の設置方法。
【発明の詳細な説明】
【技術分野】
【０００１】
本発明は、洗面器あるいは手洗器を設置するためのカウンター、及び、このカウンターを用いた洗面器あるいは手洗器の設置方法に関するものである。
【背景技術】
【０００２】
従来、図７に分解図で示すように、カウンター５１に洗面器５２を設置する際に、洗面器５２の給水，排水管等を通すために必要な穴５１ａは、工場で加工するにしても現場で加工するにしても、予め決められた１つの位置に、穴開け加工を施して実施されていた。
【０００３】
また、図８に示すような平板状のカウンター６１上に、左端側に洗面器を設置しようとする場合には、予めカウンター６１の左端側に給水，排水管用の穴６１ａを開口させていた。
また、洗面器を中央部に設置する場合には、図９に示すように、中央部に給水，排水管用の穴６１ａを形成させていた。
また、カウンター６１の右端側に洗面器を設置する場合には、図１０に示すように、右端側に給水，排水管用の穴６１ａを開口させていた。
【０００４】
また、従来では、右仕様，左仕様の共通化を図るために、図１１に示すように、１枚のカウンター７１の左端側に貫通穴７１ａを形成させておき、現場に対応して、このカウンター７１を水平面内で回転させて施工することにより、右仕様あるいは左仕様に対応できるように構成していた。
【０００５】
なお、従来、特許文献１に開示されているように、カウンターを左右方向において複数に分割した構成とし、各分割体を上下に重ね合わせ、左右の重ね合わせ量を調整することで、カウンター全体の左右方向寸法を調整する構成のカウンター設置構造があるが、このようなカウンターの設置構造では、洗面器を中央に設置したり、左または右端側に設置することはできないものであった。
【特許文献１】特開２００１−２７５８６２号公報
【発明の開示】
【発明が解決しようとする課題】
【０００６】
なお、従来のような構造では、前述した図８〜図１０に示すように、洗面器の設置位置に対応して、それぞれの位置に給水，排水管用穴６１ａを形成させた、少なくとも３種類の品番のカウンター６１を在庫しておくか、現場で大変な工数をかけて図８〜図１０の何れかの位置に穴開け加工する必要があった。
【課題を解決するための手段】
【０００７】
本発明は上記従来の問題点に鑑み案出したものであって、１種類のカウンターで、洗面器あるいは手洗器を中央に設置したり、左または右端側に設置できるカウンター、及び洗面器あるいは手洗器の設置方法を提供せんとするものであり、請求項１は、洗面器あるいは手洗器を設置するためのカウンターであって、該カウンターは、複数の分割された天板で構成され、１つの分割された天板には、前記洗面器あるいは手洗器の給水管，排水管等が通る貫通穴が形成され、該貫通穴の幅方向の中心は、前記１つの分割された天板の幅方向の中心から左右何れか側にずれており、ずれた側に他の分割された天板を設置した状態で、前記貫通穴がカウンター全体の幅方向の中心に位置するように構成されていることである。
【０００８】
また、請求項２は、洗面器あるいは手洗器を設置するためのカウンターであって、該カウンターは、複数の分割された天板で構成され、該複数の分割された天板を跨いで前記洗面器あるいは手洗器が載置されるように構成したことである。
【０００９】
また、請求項３は、洗面器あるいは手洗器の設置方法であって、カウンターを施工する際に、前記貫通穴が形成された天板を、裏返す或いは水平面内で回転させ、他の分割された天板を左右何れか側に配置して、前記貫通穴をカウンターの中央に配置したり、カウンターの左右何れかの端側に配置し、該貫通穴に前記洗面器あるいは手洗器を設置することである。
【発明の効果】
【００１０】
本発明では、カウンターは、複数の分割された天板で構成され、１つの分割された天板には、洗面器あるいは手洗器の給水管，排水管等が通る貫通穴が形成され、貫通穴の幅方向の中心は、１つの分割された天板の幅方向の中心から左右何れか側にずれており、ずれた側に他の分割された天板を設置した状態で、貫通穴がカウンター全体の幅方向の中心に位置するように構成されていることにより、カウンターを構成する複数の分割された天板の組み合わせ方によって、１種類のカウンターのみで、洗面器あるいは手洗器をカウンターの中央に設置したり、あるいは左右の何れか側に設置することができ、従来のように複数種類の穴の位置の異なるカウンターを用意しておく必要がなく、カウンターの品番を大幅に削減して、在庫管理，仕掛け在庫の大幅削減が図れる効果を有する。
【００１１】
また、カウンターは、複数の分割された天板で構成され、複数の分割された天板を跨いで洗面器あるいは手洗器が載置されるように構成したことにより、１種類のカウンターを用意して、このカウンターを構成する複数の分割された天板の組み合わせで、洗面器あるいは手洗器をカウンターの中央部にも、また左右の何れか側にも設置することができ、見栄え性の良好な設置状態が得られるものとなる。
【００１２】
また、洗面器あるいは手洗器の設置方法では、カウンターを施工する際に、貫通穴が形成された天板を、裏返す或いは水平面内で回転させ、他の分割された天板を左右何れか側に配置して、貫通穴をカウンターの中央に配置したり、カウンターの左右何れかの端側に配置し、貫通穴に洗面器あるいは手洗器を設置することとしたため、現場に対応して、現場で貫通穴を有する天板をを裏返すか、あるいは水平面内で回転させて、カウンターの中央部あるいは左右の何れか端側に良好に洗面器あるいは手洗器を設置することができ、施工が容易なものとなる。
【実施例１】
【００１３】
以下、本発明の実施例を図面に基づいて説明する。
図１は、第１実施例の構成部材の分解斜視図である。
図において、フレーム台１の上面には、長方形状に枠組みした上面枠フレーム１ａが設けられ、上面枠フレーム１ａの四隅には下方へ垂下状に脚部１ｂ，１ｂ，１ｂ，１ｂが設けられている。
このフレーム台１の上面枠フレーム１ａ上に、水平状に設置されるカウンター２は、本例では、第１天板３と、第２天板４に分割されており、この２つの天板３，４を適宜組み合わせて、上面枠フレーム１ａ上に設置できるものである。
【００１４】
第１天板３には、中心より左端側に大径の貫通穴３ａが上下に貫通形成されている。
また、カウンター２の上面に設置される洗面器１０の上面には、水栓金具１１が設けられ、洗面器１０の下方には、排水管１２と給水管１３と給湯管１４が配設されて、これらの排水管１２，給水管１３，給湯管１４が、第１天板３の貫通穴３ａ内に通されて配置されるものである。
【００１５】
図２には、洗面器１０を、カウンター２の中央部に設置した場合の平面構成図を示している。
図２では、第１天板３の貫通穴３ａ側に第２天板４の端面が当接されて継目Ｐが形成され、この継目Ｐを隠すように、洗面器１０がカウンター２の中央部に設置されるものである。
【００１６】
次に、洗面器１０をカウンター２の左端側に設置する場合には、図３に示すように、第１天板３を左側に配置し、右側に第２天板４を当接させて配置させ、この上に洗面器１０を設置して、洗面器１０の右端側で継目Ｐを隠すものである。
即ち、第１天板３の横方向寸法と第２天板４の横方向寸法の比率は、上面に設置される洗面器１０あるいは手洗器の寸法に合わせて、予めその寸法比が設定されており、洗面器１０を中央に設置した場合でも、左端に設置した場合でも、良好に第１天板３と第２天板４の継目Ｐが隠されるように設定されている。
【００１７】
なお、図４では、洗面器１０をカウンター２の右端側に設置した場合を示すものであり、この場合は、現場で第１天板３を裏返して、貫通穴３ａを右端側に配置させ、第１天板３の左端面に第２天板４を当接させて施工するものであり、この場合にも、洗面器１０により第１天板３と第２天板４間の継目Ｐが隠されるように設定されている。
なお、第１天板３の裏表を反転させて施工する他に、第１天板３を水平面内で回転させて、貫通穴３ａを右端側に配置させることもできる。
なお、第１天板３を現場で裏返して施工する場合は、この第１天板３は、上下が対称な形状に形成されている必要がある。
また、第１天板３を水平面内で回転させて使用する場合には、第１天板３は、前後に対称形状に形成されている必要がある。
【００１８】
このように、１種類の第１天板３と第２天板４を現場に搬入すれば、現場に対応して、第１天板３と第２天板４の組み合わせを、図２，図３，図４の何れかの組み合わせにすることにより、洗面器１０をカウンター２の中央部に設置することも、また左端側あるいは右端側の何れかに設置することもでき、１種類のカウンターを在庫して搬入すれば良いため、在庫管理や仕掛け在庫の管理等が容易なものとなり、また現場での施工が容易に行え、しかも、継目Ｐを洗面器１０で隠して、スッキリとした設置状態が得られるものとなる。
【実施例２】
【００１９】
次に、図５および図６の平面図では、第２実施例を示す。
即ち、図５および図６では、カウンター２を３枚の天板で構成したものであり、第１天板２３と、第２天板２４と、第３天板２５を、適宜現場で組み合わせて施工できるものであり、第１天板２３の中央部には大径の貫通穴２３ａが形成されており、この貫通穴２３ａ内に、洗面器１０の排水管１２，給水管１３，給湯管１４を通して配置できるものである。
【００２０】
図５では、第１天板２３を左端側に配置させて、その右側に第２天板２４および第３天板２５を組み合わせたものであり、良好に洗面器１０をカウンター２２の左端側に設置できるものである。
なお、この洗面器１０は横方向に広い寸法のものであり、第１天板２３と第２天板２４間の第１継目Ｐ１と、第２天板２４と第３天板２５間の第２継目Ｐ２を隠すことができる寸法形状に設定されている。
このように、洗面器１０を設置した状態では、第１継目Ｐ１および第２継目Ｐ２が隠されるため、スッキリとした設置状態が得られるものである。
【００２１】
なお、図６では第１天板２３を中央部に配置し、第１天板２３の左側に第２天板２４を配置し、第１天板２３の右側に第３天板２５を配置したものであり、洗面器１０を中央部よりも右側寄りに設置することができ、良好に第１継目Ｐ１および第２継目Ｐ２を洗面器１０で隠蔽させて、スッキリとした状態で設置できるものである。
【図面の簡単な説明】
【００２２】
【図１】第１実施例の構成部材の分解斜視構成図である。
【図２】洗面器をカウンターの中央部に設置した状態の平面構成図である。
【図３】洗面器をカウンターの左端側に設置した状態の平面構成図である。
【図４】洗面器をカウンターの右端側に設置した状態の平面構成図である。
【図５】第２実施例を示し、洗面器をカウンターの左寄りに設置した平面構成図である。
【図６】第２実施例における洗面器を右寄りに設置した状態の平面構成図である。
【図７】従来のカウンターと洗面器との分解斜視図である。
【図８】穴を左端側に形成した従来のカウンターの平面構成図である。
【図９】穴を中央部に形成した従来のカウンターの平面構成図である。
【図１０】右端側に穴を形成した従来のカウンターの平面構成図である。
【図１１】水平面内で回転させて右仕様，左仕様の共通化を図った場合のカウンターの斜視構成図である。
【符号の説明】
【００２３】
１  フレーム台
１ａ  上面枠フレーム
２  カウンター
３  第１天板
３ａ  貫通穴
４  第２天板
１０  洗面器
１２  排水管
１３  給水管
１４  給湯管
２２  カウンター
２３  第１天板
２３ａ  貫通穴
２４  第２天板
２５  第３天板
Ｐ１，Ｐ２  継目
【図１】
2005087647.tif 000003
【図２】
2005087647.tif 000004
【図３】
2005087647.tif 000005
【図４】
2005087647.tif 000006
【図５】
2005087647.tif 000007
【図６】
2005087647.tif 000008
【図７】
2005087647.tif 000009
【図８】
2005087647.tif 000010
【図９】
2005087647.tif 000011
【図１０】
2005087647.tif 000012
【図１１】
2005087647.tif 000013